(57)【要約】【課題】  わざわざ遠方に出向くことなく願文祈祷を行うことができるとともに、その願文成就のための御守り札の映像データを入手することができるようにする。【解決手段】  サーバー２０の情報記憶部２１には、あらかじめ祈祷依頼の願文に対応した御守り札の映像データが記憶されており、ネットワークを介して利用者側端末装置３０から祈祷依頼の要求を受けたときには、映像データ送信手段２２１は情報記憶部２１から要求された願文に対応した御守り札の映像データを利用者側端末装置３０へ送信するとともに、利用者情報送信手段２２２は祈祷依頼があった利用者の個人情報をサービス提供者側端末装置１０に送信し、サービス提供者はサービス提供者側端末装置１０に送信された利用者個人情報に基づき過去帖１１を作成して願文祈祷を行う。【選択図】  図２
2005151270.tif 000002
【特許請求の範囲】
【請求項１】
サービス提供者の情報を提供するサーバーと、上記サーバーとネットワーク回線を介して接続される利用者側端末装置とを含み、上記サーバーには、少なくとも上記利用者側端末装置に提供される祈祷依頼を含むサービス情報、上記利用者側端末装置から送信される利用者個人情報および上記祈祷依頼の願文に対応した所定の御守り札の映像データが記憶される情報記憶部が備えられ、上記利用者側端末装置からの祈祷依頼の要求に応じて上記利用者側端末装置にその祈祷依頼の願文に対応した御守り札の映像データの配信を行う御守り映像の配信サービスシステムであって、
上記サーバーには、上記利用者側端末装置から祈祷依頼の要求を受信したときに、その祈祷依頼の願文を含む利用者個人情報を上記サービス提供者側の端末装置に送信する利用者情報通知手段と、その祈祷依頼の願文に対応した御守り札の映像データを上記情報記憶部から取り込んで、上記利用者側端末に送信する映像データ送信手段とが備えられていることを特徴とする御守り映像の配信サービスシステム。
【請求項２】
上記映像送信手段は、上記御守り札の映像データを上記利用者側端末に送信するにあたって、上記利用者側端末に映像配信専用アドレスを送信し、上記利用者側端末装置は、上記配信専用アドレスにアクセスして上記御守り札の映像データを取得する請求項１に記載の御守り映像の配信サービスシステム。
【請求項３】
上記映像送信手段は、上記サービス提供者側端末装置からの祈祷済み情報を待って上記利用者側端末に上記映像配信専用アドレスを送信する請求項２に記載の御守り映像の配信サービスシステム。
【請求項４】
上記サービス提供者は、上記利用者通知手段から送信された上記利用者個人情報の所定事項を過去帖に記載して閲覧に供する請求項１ないし３のいずれか１項に記載の御守り映像の配信サービスシステム。
【請求項５】
上記利用者側端末が携帯電話機であり、上記御守り札の映像データが上記携帯電話機の待ち受け画面として表示される請求項１ないし４のいずれか１項に記載の御守り映像の配信サービスシステム。
【請求項６】
サービス提供者の情報を提供するサーバーと、上記サーバーとネットワーク回線を介して接続される利用者側端末装置とを含み、上記サーバーには、少なくとも上記利用者側端末装置に提供される祈祷依頼を含むサービス情報、上記利用者側端末装置から送信される利用者個人情報および上記祈祷依頼の願文に対応した所定の御守り札の映像データが記憶される情報記憶部が備えられ、上記利用者側端末装置からの祈祷依頼の要求に応じて上記利用者側端末装置にその祈祷依頼の願文に対応した御守り札の映像データの配信を行う御守り映像の配信方法であって、
上記利用者側端末装置からの要求にしたがい上記サービス情報を利用者側端末装置に送信した後、上記サービス情報に基づいて上記利用者側端末装置から祈祷依頼の要求があったときは、上記祈祷依頼の願文を含む利用者個人情報を利用者情報通知手段を介して上記サービス提供者側の端末装置に送信するとともに、上記祈祷依頼の願文に対応した御守り札の映像データを上記情報記憶部から取り込み映像送信手段を介して上記利用者側端末装置に送信することを特徴とする御守り映像の配信方法。
【発明の詳細な説明】
【技術分野】
【０００１】
本発明は、寺社などで提供される御守り札を利用者に提供する配信サービスシステムおよびその配信方法に関し、さらに詳しく言えば、ネットワーク回線を介して利用者の端末装置に所望とする御守り札の映像を配信する御守り映像の配信サービスシステムおよびその配信方法に関するものである。
【背景技術】
【０００２】
寺社などで提供される御守り札は、古くから一般社会と密接に結びついており、現在に至っても人の精神的な支えとして重宝されている。御守り札には、合格祈願，安産祈願など、個人的な事情に応じた願文があるが、希望とする御守り札を入手して身につけておくことで精神的な安定を保つことができるものとして役立っている。
【０００３】
そのため、寺社側ではあらかじめ願文祈祷を済ませた御守り札を提供したり、御守り札購入の際に購入者に願文や氏名などを記帳してもらった過去帖に基づき祈祷を済ませるするようにするなど、購入者の祈願成就に適う祈祷を行うようにしている。
【０００４】
しかしながら、購入者の立場からすれば祈願成就の御守り札は、例えば合格祈願であれば「学問の神」に由来する寺院、安産祈願であれば「安産の神」に由来する神社というように、寺社などで特に祀られている神体に由来する御利益を得たいと願うものである。
【０００５】
そのため、例えば遠方であるにもかかわらず、わざわざ目的とする寺社や寺院などに参拝して御守り札を入手せざるを得ないという不都合や、定期的に参拝して御守り札を入手していたにもかかわらず、健康上の理由などから参拝をすることができず心理的な負担が生じるといった不都合も生じていた。
【０００６】
このような入手希望者の立場を考慮して、寺社や寺院などが、電話や手紙などで御守り札の入手希望を受け付け、現金書留や銀行振込などで御守り札の料金を受け取った後に、郵送するようなことも行われている。また、特許文献１に記載されているように、インターネットを利用して利用者からの御守り札の作成を受付け、作成した御守り札の祈祷を済ませた後に利用者に郵送するといったシステムも提案されている。
【０００７】
しかしながら、前者の場合では、例えば合格祈願など特定の時期にのみ祈願が集中するようなものであっては、電話や手紙の受付けあるいは入金確認など寺社・寺院側での作業負担が大きく、また、利用者側にとっても試験日までに届くがどうか不安であるといった不都合があった。また、同様に後者の場合であっても、希望とする日時までに郵送されるか否かが明らかではなく、利用者側の不安が解消されるには至っていない。
【０００８】
【特許文献１】特開２００１−３５７１７３号公報
【発明の開示】
【発明が解決しようとする課題】
【０００９】
本発明の課題は、ネットワーク回線を介して入手を希望する御守り札を利用者側の端末装置にダウンロードし、利用者がいつでも自己の端末装置を通じて御守り札を崇めることができるようにすることにある。
【課題を解決するための手段】
【００１０】
上記課題を解決するため、本願の第１発明は、サービス提供者の情報を提供するサーバーと、上記サーバーとネットワーク回線を介して接続される利用者側端末装置とを含み、上記サーバーには、少なくとも上記利用者側端末装置に提供される祈祷依頼を含むサービス情報、上記利用者側端末装置から送信される利用者個人情報および上記祈祷依頼の願文に対応した所定の御守り札の映像データが記憶される情報記憶部が備えられ、上記利用者側端末装置からの祈祷依頼の要求に応じて上記利用者側端末装置にその祈祷依頼の願文に対応した御守り札の映像データの配信を行う御守り映像の配信サービスシステムであって、上記サーバーには、上記利用者側端末装置から祈祷依頼の要求を受信したときに、その祈祷依頼の願文を含む利用者個人情報を上記サービス提供者側の端末装置に送信する利用者情報通知手段と、その祈祷依頼の願文に対応した御守り札の映像データを上記情報記憶部から取り込んで、上記利用者側端末に送信する映像データ送信手段とが備えられていることを特徴としている。
【００１１】
上記第１発明には、上記映像送信手段は、上記御守り札の映像データを上記利用者側端末に送信するにあたって、上記利用者側端末に映像配信専用アドレスを送信し、上記利用者側端末装置は、上記配信専用アドレスにアクセスして上記御守り札の映像データを取得する態様が含まれる。
【００１２】
上記第１発明において、上記利用者側端末に映像配信専用アドレスを送信する場合、上記映像送信手段は、上記サービス提供者側端末装置からの祈祷済み情報を待って上記利用者側端末に上記映像配信専用アドレスを送信するすることが好ましい。
【００１３】
また、上記サービス提供者は、上記利用者通知手段から送信された上記利用者個人情報の所定事項を過去帖に記載して閲覧に供することが好ましく、この態様も上記第１発明に含まれる。また、上記利用者側端末が携帯電話機であり、上記御守り札の映像データが上記携帯電話機の待ち受け画面として表示されることが特に好ましい。
【００１４】
上記課題を解決するため、本願の第２発明は、サービス提供者の情報を提供するサーバーと、上記サーバーとネットワーク回線を介して接続される利用者側端末装置とを含み、上記サーバーには、少なくとも上記利用者側端末装置に提供される祈祷依頼を含むサービス情報、上記利用者側端末装置から送信される利用者個人情報および上記祈祷依頼の願文に対応した所定の御守り札の映像データが記憶される情報記憶部が備えられ、上記利用者側端末装置からの祈祷依頼の要求に応じて上記利用者側端末装置にその祈祷依頼の願文に対応した御守り札の映像データの配信を行う御守り映像の配信方法であって、上記利用者側端末装置からの要求にしたがい上記サービス情報を利用者側端末装置に送信した後、上記サービス情報に基づいて上記利用者側端末装置から祈祷依頼の要求があったときは、上記祈祷依頼の願文を含む利用者個人情報を利用者情報通知手段を介して上記サービス提供者側の端末装置に送信するとともに、上記祈祷依頼の願文に対応した御守り札の映像データを上記情報記憶部から取り込み映像送信手段を介して上記利用者側端末装置に送信することを特徴としている。
【発明の効果】
【００１５】
上記第１および第２発明によれば、利用者側端末装置からサービス提供者側の提供する祈祷依頼を要求することにより、映像送信手段によってその祈祷依頼の願文に応じた御守り札の映像が利用者側端末装置に送信されるため、利用者側はわざわざ遠方へ出向くことなく所望とする御守り札を容易に入手することができる。また、サービス提供者側にとっても、利用者通知手段によって祈祷依頼を希望する利用者個人情報が送信されるため、その利用者個人情報を過去帖に記入するなどして利用者の願文祈祷を行うことができる。
【００１６】
したがって、利用者側にとっては、例えば御守り札の映像を携帯電話の「待ち受け画面」などの壁紙としてダウンロードすれば、いつでも表示画面に御守り映像を映し出すことができるとともに、通常の御守り札と同様に常に携帯することができる。
【００１７】
また、サービス提供者側にとっても、願文祈祷を希望する利用者個人情報を容易に入手して過去帖へと記帳し整理することができ、例えば利用者がそのサービス提供者の寺院などに出向いたときに過去帖を閲覧することで自己の願文祈祷が真にされていることを確認することができ、利用者とサービス提供者間の信頼関係を裏切ることもない。
【００１８】
また、サーバーから利用者側端末装置に映像配信専用アドレスを送信し、その映像配信専用アドレスに基づいて利用者側端末装置に御守り札の映像データをダウンロードするようにしたことにより、第三者の不正な介在を防止することができる。
【発明を実施するための最良の形態】
【００１９】
以下、図面を参照して本発明に係る御守り映像の配信サービスシステムおよび同映像の配信方法について説明する。図１は本発明による御守り映像の配信サービスシステムを示す模式図、図２は同配信サービスシステムの概略的ブロック図である。
【００２０】
これによると、本発明による御守り映像の配信サービスシステムには、サービス提供者側の端末装置１０，サーバー２０および利用者側端末装置３０が含まれる。サービス提供者側の端末装置１０とサーバー２０、サーバー２０と利用者側端末装置３０はそれぞれ所定の通信回線を介して接続されてよいが、サーバー２０と利用者側端末装置３０はインターネットなどの双方向通信ネットワーク回線を介して接続されることが好ましい。
【００２１】
サーバー２０には、サービス提供者から利用者側端末装置３０に提供される各種のサービス情報などが記憶される情報記憶部２１と、サーバー２０とサービス提供者側端末装置１０との間の通信およびサーバー２０と利用者側端末装置３０との間の通信を処理する通信処理部２２とが備えられている。サーバー２０は、例えばサービス提供者と通信会社との契約により提供されるインターネットサーバーであってよい。
【００２２】
情報記憶部２１には、サービス提供者が利用者に提供するサービス、例えば図６に示す有料メニューサービス、図７に示す料金案内、図８に示す祈祷依願などの表示画面データおよび図９に示す御守り札の映像データなどの情報が記憶されている。また、図８に示す祈祷依願などの表示画面から入力された利用者個人情報も記憶される。
【００２３】
通信処理部２２には、少なくとも情報記憶部２１に記憶された御守り映像データを利用者側端末装置３０に送信する映像データ送信手段２２１と、利用者側端末装置３０から送信された利用者個人情報をサービス提供者側端末装置１０に送信する利用者情報送信手段２２２とが備えられている。
【００２４】
通信処理部２２は、利用者側端末装置３０から祈祷依頼の要求を受けて、図８に示す表示画面から入力された利用者個人情報を情報記憶部２１に記憶する。この例において、利用者個人情報には祈祷依頼の要求時間が含まれている。
【００２５】
また、利用者情報送信手段２２２は、あらかじめ当日の願文祈祷が可能である所定の時間（例えば１６時）内に祈祷依頼が要求された利用者個人情報をサービス提供者側端末装置１０に送信する。これにより、サービス提供者はサービス情報者側端末装置１０に送信された利用者個人情報をもとに願文祈祷のための過去帖１１を作成し願文祈祷を行う。
【００２６】
次に、図３ないし図５のフローチャート図および図６ないし図９の利用者側端末装置３０の表示画面例を参照して、本発明の動作について説明する。なお以下の説明において、利用者側端末装置３０として携帯電話機が用いられているものとする。また、サービス提供者側端末装置１０はパソコンクラスのコンピュータであってよい。
【００２７】
図３を参照して、まず、サーバー２０に対して利用者側端末装置（携帯電話機）３０から通信が開始され、サービス提供者の提供するサービスサイトに接続されると（ステップＳＴ１１）、利用者側端末装置３０の表示画面３１には図６に示すサービスメニューが表示される（ステップＳＴ１２）。この場合、サービスメニューとして「（１）御守り」、「（２）ナビゲーション」、「（３）占い」などの有料サービスメニューが表示されているが、スクロールキーの操作により適宜の別のメニューを見ることもできる。
【００２８】
次に、このサービスメニューのうち、例えば「（１）御守り」を選択すると（ステップＳＴ１３）、図７に示す利用料金の案内メニューが表示され「ＯＫ」を選択することにより、図８に示す祈祷依頼の表示画面が表示される（ステップＳＴ１４）。なおこの例では、図７に示す利用料金の確認がされた後、契約通信会社からコンテンツ課金が徴収される。これにより、利用者側とサービス提供者側間の料金支払／回収の煩わしさが回避される。
【００２９】
図８に示すように、祈祷依頼の表示画面には、「氏名」「住所」「年齢」「性別」「生年月日」などの利用者個人情報のほかに、「諸種願文」の記入項目が表示される。この例では、定形願文として「合格祈願」「家内安全」「交通安全」などが表示され、これらの定形願文を選択することもできるが、□枠内に具体的な願文を記入することも可能である。また、スクロールキーの操作により、例えば「安産祈願」「満願成就」などの定形願文も表示される。
【００３０】
祈願依頼の全項目もしくは所定の項目に入力を済ませて図示しない送信ボタンを押すと（ステップＳＴ１５）、これらの入力データが利用者個人情報としてサーバー２０に送信され、情報記憶部２１に記憶される（ステップＳＴ１６）。サーバー２０との通信は他のサービスサイトあるいは他のサービスメニューとの接続が終了するまで継続される（ステップＳＴ１７）。
【００３１】
そして、通信が終了された後（ステップＳＴ１８）、利用者情報送信手段２２２からあらかじめ設定された受付時間内に祈祷依頼があった利用者個人情報がサービス提供者側端末装置１０に送信される（ステップＳＴ１９，２０）。
【００３２】
図４は、利用者側端末装置３０に御守り札の映像データを送信する動作フローチャート図であるが、点線枠内はサービス提供者側の処理手順を示している。サービス提供者は、利用者情報送信手段２２２からの利用者個人情報を入手すると（ステップＳＴ２１）、その利用者個人情報を過去帖１１に記入する（ステップＳＴ２２）。
【００３３】
そして、過去帖１１を献上して願文祈願の祈祷を行い（ステップＳＴ２３）、願文祈祷の済んだ祈祷済み利用者個人情報をサービス提供者側端末装置１０からサーバー２０に送信する（ステップＳＴ２４）。なお、過去帖１１への記入はサービス提供者側端末装置１０により自動的に行われてもよいし、手書きにより転記してもよい。また、過去帖１１への記入項目は必ずしも全項目である必要はなく任意であってよい。
【００３４】
サーバー２０は、祈祷済み利用者個人情報を受信すると（ステップＳＴ３１）、利用者側端末装置３０に対して映像データの映像配信専用アドレスを送信する（ステップＳＴ３２）。
【００３５】
図５は御守り映像を配信する動作フローチャートで、利用者側端末装置３０から映像配信専用アドレスにアクセスがなされると（ステップＳＴ４１）、サーバー２０は情報記憶部２１から祈祷依頼の願文に対応した御守り札の映像データを読み出してアクセスしてきた利用側端末装置３０に送信する（ステップＳＴ４２）。
【００３６】
これにより、利用者側端末装置３０に図９に示すように祈祷依頼の願文（この例では「家内安全」）に対応した御守り札（この例では「不動明王」）の映像データがダウンロードされる。なお、映像データのダウンロード後は、利用者の要求に応じて他のサービスメニューに接続できるようになっている（ステップＳＴ４３）。
【００３７】
このようにして、利用者側端末装置３０にダウンロードされた御守り映像は、利用者によって表示画面３１の「待ち受け画面」などの壁紙としていつでも表示させることができるとともに、通常の御守り札と同様に常に持ち運ぶことができる。このため、利用者側にとっては、希望する御守り札をわざわざ遠方にある寺社なでに出向くことなく入手でき祈願成就のための精神的な支えとすることができる。
【００３８】
また、サービス提供者側にとっても、願文祈祷を希望する利用者個人情報を容易に入手して過去帖へと記帳し整理することができ、例えば利用者がそのサービス提供者の寺院などに出向いたときに過去帖を確認することで自己の願文祈祷が真にされていることを確認することができ、利用者とサービス提供者間の信頼関係を裏切ることもない。
【００３９】
なお、この実施形態において、図６ないし図９に示す表示画面は、携帯電話機で表示される画面構成の一例を示したものであり、本発明はこれらに限定されるものではない。例えば、表示領域の大きなパーソナルコンピュータなどの表示画面では、サービス提供者側で趣向を凝らした適宜の画面を表示することができる。また、情報記憶部２１に祈祷場面などの動画データを記憶しておき、御守り札の映像データとともに利用者側端末装置３０へと送信するようにすれば、利用者がその場で祈祷を受けたような臨場感を醸出することもできる。
【図面の簡単な説明】
【００４０】
【図１】本発明による御守り映像の配信サービスシステムの構成を示す模式図。
【図２】上記御守り映像の配信サービスシステムの構成を概略的に示すブロック図。
【図３】利用者が祈祷依頼をするための処理手順の一例を示すフローチャート図。
【図４】サービス提供者側の処理手順の一例を示すフローチャート図。
【図５】利用者側が御守り札の映像データをダウンロードする処理手順の一例を示すフローチャート図。
【図６】利用者側端末装置の表示画面の一例を示す説明図。
【図７】利用者側端末装置の表示画面の一例を示す説明図。
【図８】利用者側端末装置の表示画面の一例を示す説明図。
【図９】利用者側端末装置の表示画面の一例を示す説明図。
【符号の説明】
【００４１】
１０  サービス提供者側端末
１１  過去帖
２０  サーバー
２１  情報記憶部
２２  通信処理部
２２１  映像データ送信手段
２２２  利用者個人情報送信手段
３０  利用者側端末
３１  表示画面
【図１】
2005151270.tif 000003
【図２】
2005151270.tif 000004
【図３】
2005151270.tif 000005
【図４】
2005151270.tif 000006
【図５】
2005151270.tif 000007
【図６】
2005151270.tif 000008
【図７】
2005151270.tif 000009
【図８】
2005151270.tif 000010
【図９】
2005151270.tif 000011